(57)【要約】【課題】【解決手段】避雷器１０の接地線１３に空芯トロイダルコイルからなる電流検出器２１を装着する。動作監視装置２０は、１回分の雷サージにより避雷器に流れる電気エネルギを演算処理して、ホストコンピュータに送信する。避雷器に流れる電気エネルギの累積値が、避雷器の劣化の程度を推測させるものとする。動作監視装置２０は避雷器１０のすぐ近くに取り付けられる。太陽電池パネル２５とバッテリボックス２６によって駆動電力を供給する。【効果】長期的に継続的に、特定の避雷器を通過した雷撃電流エネルギを積算し、その値を所定の閾値と比較して、その閾値を越えたとき避雷器を交換するといった保守管理ができる。【選択図】　　　　図１
2004037169.tif 000002
【特許請求の範囲】
【請求項１】
避雷器の接地線を流れる電流を検出する検出器と、
この検出器の出力信号から前記避雷器を通過した電力の瞬時値を演算処理する手段と、
前記演算処理の結果から、少なくとも１回分の雷サージにより前記避雷器を通過した電気エネルギを演算処理する手段とを備えたことを特徴とする避雷器の動作監視装置。
【請求項２】
請求項１に記載の避雷器の動作監視装置において、
前記電気エネルギに関する情報を保持して、所定のタイミングで外部へ送信する手段を備えたことを特徴とする避雷器の動作監視装置。
【請求項３】
請求項１に記載の避雷器の動作監視装置において、
前記電気エネルギに関する情報を受信して、避雷器が使用を開始されてからの前記電気エネルギの累積値を演算して表示する表示装置を備えたことを特徴とする避雷器の動作監視装置。
【請求項４】
避雷器の接地線を流れる電流を検出する検出器と、
前記検出器の出力信号から、少なくとも１回分の雷サージにより前記避雷器を通過した電流の時間積分値を演算処理する手段を備えたことを特徴とする避雷器の動作監視装置。
【請求項５】
請求項４に記載の避雷器の動作監視装置において、
前記電流の時間積分値に関する情報を、所定のタイミングで外部へ送信する手段を備えたことを特徴とする避雷器の動作監視装置。
【請求項６】
請求項４に記載の避雷器の動作監視装置において、
前記電流の時間積分値に関する情報を受信して、１回分の雷サージにより前記避雷器を通過した電気エネルギを演算処理する手段と、
前記避雷器が使用を開始されてからの前記電気エネルギの累積値を演算して表示する表示装置を備えたことを特徴とする避雷器の動作監視装置。
【請求項７】
避雷器の接地線を流れる電流を検出する検出器と、
この検出器の出力信号から前記避雷器を流れる漏れ電流を測定する手段と、
前記測定した漏れ電流値をディジタル変換して電波送信する手段と、
前記電波送信された漏れ電流値を受信して表示する表示装置を備えたことを特徴とする避雷器の動作監視装置。
【請求項８】
避雷器の接地線を流れる電流を検出する検出器と、
この検出器の出力信号と避雷器の端子電圧から、前記避雷器を通過した電力の瞬時値を演算処理する乗算回路と、
前記電力の瞬時値を時間積分して、少なくとも１回分の雷サージにより前記避雷器を通過した電気エネルギを演算処理する積分回路と、
前記積分回路の出力のピーク値を所定時間保持する回路と、
前記保持された積分回路の出力のピーク値をディジタル変換して、前記避雷器の動作監視用データを取得する回路とを備えたことを特徴とする避雷器の動作監視装置。
【発明の詳細な説明】
【０００１】
【発明の属する技術分野】
本発明は、電力設備に多用されている避雷器の動作監視装置に関する。
【０００２】
【従来の技術】
避雷器は、送配電設備や変電設備を雷害から保護するための機器として非常に重要な役割を果たしている。例えば、大規模な変電所には、重要な電気設備を保護するために多数の避雷器が取付けられる。これらの避雷器は、雷サージによる異常電圧下で導通して雷撃電流を放電させ、設備に加わる電圧を保護レベル以下に保持する。避雷器はこうした過酷な環境で使用されるが、いったん避雷器に故障が発生すれば保護対象である電力設備に被害が及ぶから、その保守管理と健全性の確認が重要な任務になっている。そこで、避雷器の平常時の漏れ電流を観測して、内蔵された非直線抵抗素子の劣化を診断する技術が開発されている（特開第２０００−３２１３１８号公報）。また、落雷時の避雷器の端子電圧変化を検出して落雷回数をカウントし、保護動作回数から避雷器の劣化度を推測する技術も開発されている（特開第２００１−２３４７９号公報）
【０００３】
【発明が解決しようとする課題】
ところで、上記のような従来の技術には、次のような解決すべき課題があった。
避雷器の平常時の漏れ電流測定で得られるのは静特性であって保護動作時の動特性ではない。この避雷器の静特性から動特性を正確に推測するのは難しい。一方、避雷器は保護動作時に大きなエネルギを吸収するので、保護動作回数が増えれば劣化が進むが、修理交換を要する程度まで劣化しているかどうかの判断は容易でない。直接動特性を測定することができればよいが、雷サージが避雷器に与える影響を直接観察して記録する経済的実用的な技術は未だ紹介されていない。また、保護動作回数が一定数を越えても個々の避雷器の劣化の程度に大きなばらつきがある。
本発明は以上の点に着目してなされたもので、避雷器の動作状態を常時監視して、その劣化診断に適する情報を収集できる避雷器の動作監視装置を提供することを目的とする。
また本発明は、避雷器の保護動作時に避雷器に流れる電流エネルギを測定して、その劣化状態を正確に判定する避雷器の動作監視装置を提供することを目的とする。
【０００４】
【課題を解決するための手段】
本発明は次の構成により上記の課題を解決する。
〈構成１〉
避雷器の接地線を流れる電流を検出する検出器と、この検出器の出力信号から上記避雷器を通過した電力の瞬時値を演算処理する手段と、上記演算処理の結果から、少なくとも１回分の雷サージにより上記避雷器を通過した電気エネルギを演算処理する手段とを備えたことを特徴とする避雷器の動作監視装置。
【０００５】
〈構成２〉
構成１に記載の避雷器の動作監視装置において、上記電気エネルギに関する情報を、所定のタイミングで外部へ送信する手段を備えたことを特徴とする避雷器の動作監視装置。
【０００６】
〈構成３〉
構成１に記載の避雷器の動作監視装置において、上記電気エネルギに関する情報を受信して、避雷器が使用を開始されてからの上記電気エネルギの累積値を演算して表示する表示装置を備えたことを特徴とする避雷器の動作監視装置。
【０００７】
〈構成４〉
避雷器の接地線を流れる電流を検出する検出器と、上記検出器の出力信号から、少なくとも１回分の雷サージにより上記避雷器を通過した電流の時間積分値を演算処理する手段を備えたことを特徴とする避雷器の動作監視装置。
【０００８】
〈構成５〉
構成４に記載の避雷器の動作監視装置において、上記電流の時間積分値に関する情報を、所定のタイミングで外部へ送信する手段を備えたことを特徴とする避雷器の動作監視装置。
【０００９】
〈構成６〉
構成４に記載の避雷器の動作監視装置において、上記電流の時間積分値に関する情報を受信して、１回分の雷サージにより上記避雷器を通過した電気エネルギを演算処理する手段と、上記避雷器が使用を開始されてからの上記電気エネルギの累積値を演算して表示する表示装置を備えたことを特徴とする避雷器の動作監視装置。
【００１０】
〈構成７〉
避雷器の接地線を流れる電流を検出する検出器と、この検出器の出力信号から前記避雷器を流れる漏れ電流を測定する手段と、上記測定した漏れ電流値をディジタル変換して電波送信する手段と、上記電波送信された漏れ電流値を受信して表示する表示装置を備えたことを特徴とする避雷器の動作監視装置。
【００１１】
〈構成８〉
避雷器の接地線を流れる電流を検出する検出器と、この検出器の出力信号と避雷器の端子電圧から、上記避雷器を通過した電力の瞬時値を演算処理する乗算回路と、上記電力の瞬時値を時間積分して、少なくとも１回分の雷サージにより上記避雷器を通過した電気エネルギを演算処理する積分回路と、上記積分回路の出力のピーク値を所定時間保持する回路と、上記保持された積分回路の出力のピーク値をディジタル変換して、上記避雷器の動作監視用データを取得する回路とを備えたことを特徴とする避雷器の動作監視装置。
【００１２】
【発明の実施の形態】
以下、本発明の実施の形態を具体例を用いて説明する。
図１（ａ）は、本発明の避雷器の動作監視装置の具体例を示す実体配線図である。
避雷器１０は、図示しない電力機器の高圧側の端子に端子１１を接続し、接地側の端子に端子１２を接続して使用される。端子１２は、接地線１３により接地される。後で内部機能を説明する動作監視装置２０には、検出器２１が接続されている。この検出器２１は、接地線１３を貫通させるように装着される。
【００１３】
図１（ｂ）と（ｃ）は、検出器２１の例を示す内部配線図である。
本発明の動作監視装置には、図の（ｂ）や（ｃ）に示したような空芯トロイダルコイルが使用される。図の（ｂ）に示したものはごく一般的な空芯トロイダルコイルで、トロイダルコイル部２３に端子２４Ａ、２４Ｂを設けたものである。その中心を貫通するように接地線１３が配置される。これにより接地線１３に流れる電流による誘導電流がトロイダルコイル部２３に流れる。この誘導電流が端子２４Ａと２４Ｂから取り出されて、避雷器１０に流れた電流として測定される。
【００１４】
一方、（ｃ）に示したものは、ロゴスキ型トロイダルコイルと呼ばれるものである。このコイルは、トロイダルコイル部２３のコア部分を貫くように端子２４Ａのリード線を配置している。ロゴスキ型電流検出器も一般の空芯トロイダルコイルと．ほぼ同様の機能を持つ。しかしながら、ロゴスキ型コイルは、図に示すように（ｃ）の部分に空隙を設けることができ、接地線１３を端子１２や接地端から外すことなく、検出器２１を接地線１３に装着できるという効果がある。
【００１５】
上記（ｂ）や（ｃ）のいずれの構成の検出器も、磁心がないため磁気飽和が生じず、接地線１３に流れる交流電流波形を忠実に端子２４Ａ、２４Ｂ側に出力することができる。なお、上記のような動作監視装置２０は十分小型に製造することができ、避雷器１０のすぐ近くに取り付けられる。また、電源を取りにくい場所に取付けられるため、太陽電池パネル２５とバッテリボックス２６によって駆動電力を供給するとよい。このバッテリボックス２６から、他の複数の動作監視装置に対して同時に電源を供給することもできる。
【００１６】
落雷が発生すると、避雷器１０の接地線１３に、５０マイクロ秒の間に最大１００００アンペア（Ａ）程度に達する急峻な雷撃電流が流れる。これを通常の貫通型電流トランスを使用して取りだそうとすると、磁心の磁気飽和やヒステリシスにより出力側で正確な電流波形が観測できない。また、貫通型電流トランスを避雷器の接地線に装着するときには、いったん接地線を接地端子から外す必要があり、危険防止のために活線状態で作業をすることができない。
【００１７】
本発明の装置では、避雷器１０の接地線１３に空芯トロイダルコイルからなる検出器２１を装着した。空芯トロイダルコイルは、１次電流が１００００アンペア程度になっても、磁気飽和が無く直線性に優れた入出力特性が得られる。また、測定用の回路の入力として充分に小さい安全なレベルの出力電流を得ることができる。さらに、数マイクロ秒の間にゼロ値から波高値点まで達するような高い周波数成分の信号に応答できる周波数特性を持つ。こうして、例えば、変電所の多数の電力機器に避雷器１０と動作監視装置２０を取り付けて運用をすることができる。
【００１８】
図２は、本発明の避雷器の動作監視装置の具体的な回路構成を示すブロック図である。
図に示す避雷器１０には、既に説明したように接地線１３が設けられており、ここに検出器２１が装着されている。この検出器２１の出力が、積分回路３０に入力する。装置には、この積分回路３０の他に乗算回路３１と積分回路３２、リセット回路３３、ピークホールド回路３４、Ａ／Ｄ変換回路３５、送信回路３６が設けられている。図３と図４には、これらの回路の具体的な結線図を図示した。図２に示した積分回路３０は、図３（ａ）に示すような結線になる。
【００１９】
図３（ａ）において、検出器２１の出力端子４１から出力される信号は、図に示すようなオペアンプを含む積分回路によって時間積分される。なお、この積分回路自体は既知のもののため詳細な説明は省略するが、出力端子４２には、接地線１３に流れる電流と対応する波形信号が出力される。この信号が乗算回路３１に向けて出力される。なお、積分回路３０の回路構成や回路定数は目的とする機能を持つ限り任意に設定して構わない。図３や図４に示した各回路も同様である。図中、Ａはオペアンプ、Ｒは抵抗器、ＶＲは可変抵抗器、Ｃはコンデンサ、ＴＲはトランジスタ、Ｄはダイオードを示している。
【００２０】
図２に示した乗算回路３１は、図３（ｂ）に示すような回路構成になる。
この図に示すように、乗算処理用集積回路の一方の入力端子４３には、避雷器の端子電圧に相当する一定の電圧信号Ｖが入力する。また、乗算回路の他方の入力端子４４には、（ａ）に示した積分回路３０の出力信号が入力する。乗算回路の出力端子４５には、両者の積に相当するｉ×Ｖの信号が出力される。すなわち、この乗算回路３１によって避雷器１０を流れる瞬時電力が求められる。
【００２１】
図２に示した積分回路３２は、乗算回路３１の出力信号を時間積分して、避雷器１０に流れる雷サージ１回分のエネルギを計算する回路である。これは図３（ｃ）に示すような回路構成になる。この回路の左半分は積分回路、右半分は反転回路である。これらの回路もごく一般的な結線で詳細な説明は省略する。端子４６に入力する信号を一定時間積算した値が、端子４７に出力される。反転回路は出力端子４８の極性を出力側の極性に合わせるために設けられたものである。に積分回路３２の出力は、リセット回路３３とピークホールド回路３４とに同時に出力される。
【００２２】
ピークホールド回路３４は、図４（ａ）に示すような結線になっている。
この図もごく一般的な回路であるが、端子５１に入力した信号の最大値を一定時間保持する。そして端子５３にリセット信号が入力すると、保持した値をクリアする。端子５２には、保持したピーク値が出力される。これが図２のＡ／Ｄ変換回路３５に向けて出力され、デジタル信号になって、送信回路３６を通じて無線送信される。このピークホールド回路３４によって、避雷器１０に流れた１回分の雷サージのエネルギを受信側に通知することができる。
【００２３】
積分回路３２の出力信号は放置すると時間の経過とともに次第に放電して減少する。ピークホールド回路３４は、積分回路３２の出力のピーク値をＡ／Ｄ変換回路３５でディジタル変換処理する間、出力レベルを維持する機能を持つ。リセット回路３３は、積分回路３２から一定の出力が得られた時、動作をスタートし、一定時間を計時した後に、ピークホールド回路３４にリセット信号を出力する機能を持つ。このリセット回路３３によって、ピークホールド回路３４の出力は、ディジタル変換処理と送信処理の後、所定のタイミングでクリアされて、次の積分回路３２の出力信号を受け入れることが可能になる。
【００２４】
図４（ｂ）に示すようにリセット回路３３は、コンパレータの部分とタイマの部分とに分かれている。端子５４から入力した信号は、コンパレータによって一定の基準値と比較され、その基準値を超えた場合にタイマ５５を起動するようになっている。積分回路３２の出力が無いときは動作しないので無駄な電力消費は防止される。ワンショットマルチバイブレータは、起動してから一定時間後にピークホールド回路にリセット信号を送信する。雷サージ波形は数十マイクロ秒程度の長さで、これを検出して所定の演算処理をし、データの送信を終了するまでの時間を１サイクルとする。この１サイクルの時間がワンショットマルチバイブレータに設定する一定時間である。この一定時間は例えば０．６秒に設定する。
【００２５】
以上の回路では、空芯トロイダルコイルからなる検出器（図１）は、電磁誘導によって一次電流波形の微分波形に相当する信号が取り出される。空芯トロイダルコイルの出力信号は積分回路３０に入力する。本発明では、雷サージにより避雷器に流れる電気エネルギの累積値が、避雷器の劣化の程度を推測させるものとしている。この電気エネルギを求める回路を空芯トロイダルコイルの出力側に接続した。上記積分回路３０の出力は避雷器の接地線に流れる瞬時電流値ｉに対応する。積分回路３０の出力側には、積分回路３０の出力と避雷器の端子電圧ｖの積ｉｖを演算する乗算回路３１を設けた。端子４３には避雷器１０の端子電圧の実測値を入力してもよい。しかしながら、避雷器の端子電圧ｖは保護動作中ほぼ一定であるから、その実測値を入力しなくても、乗算回路の乗算用係数信号に相当する一定値を供給すればよい。乗算回路３１の出力ｉｖは、避雷器を通過する瞬時電力に相当する信号である。
【００２６】
図５は、図１に示した動作監視装置２０から送信された信号を受信する装置の説明図である。
例えば、図に示すように多数の動作監視装置２０Ａ、２０Ｂ、２０Ｃが設けられているとする。これらからは、雷サージの観測後、任意のタイミングで、測定をした電気エネルギの値を示す情報が電波送信される。これを受信器６０が受信する。受信器６０の受信した信号は、ホストコンピュータ６１によって処理される。その結果、図の画面６２に示すように、全ての避雷器について、それぞれ雷サージの検出時刻と通過した電気エネルギの値が、一覧表として表示される。また、累積値も表示される。この累積値は、避雷器１０新設直後から、その避雷器１０に流れた電気エネルギを積算累積したものである。その累積値を比較することによって、どの避雷器がどの程度劣化しているかを判断することが可能になる。
【００２７】
図６は、図１に示した検出器２１の具体的な動作を実証する説明図で、（ａ）は矩形波についての動作特性、（ｂ）は三角波についての動作特性を示す。
図６に示したグラフは、いずれも横軸を時間にとり縦軸に信号レベルを示したものである。Ｒｉは接地線１３に流れる電流で、ｉ´は検出器２１により検出される微分波形、ｉは積分回路３０の出力信号波形である。矩形波を入力した場合でも三角波を入力した場合でも、積分回路３０の出力信号は接地線１３に流れる電流をほぼ忠実に再現した波形になる。雷サージの立ち上がり部分は矩形波に近く、立ち下がり部分は３角波に近いから、この特性で十分に目的を達成できる。
【００２８】
図７は、図２に示す乗算回路３１の前後の信号波形説明図である。
いずれのグラフも横軸は時間軸である。この発明では、１回の雷サージによって避雷器１０に流れる電流の電流波形を検出し、これから避雷器１０を流れる電気エネルギの計算をし、その結果を送信する。図７（ａ）に示すのは、雷サージにより避雷器１０に流れる電流波形である。乗算回路３１は、図の（ｂ）に示すように、電流ｉと電圧Ｖの積を求める。これを例えば、Ｔ時間分だけ積分すると、避雷器１０を通過した電気エネルギＥが求められる。時間Ｔは誤差を考慮して、適当な値に設定すくとよい。電気エネルギ値Ｅは、図の（ｃ）に示すように時間と共に増加し、雷サージが消滅すると、（ｃ）の破線のように低下する。この最大値がピークホールド回路に保持されて、ディジタル変換される。
【００２９】
上記の例では、動作監視装置２０の側で避雷器１０に流れる電気エネルギの計算をした。しかしながら、例えば、避雷器１０に流れる電流ｉの時間積分値を計算して、その結果を送信し、受信側で電圧に相当する値を掛け合わせて電気エネルギの計算をしてもよい。こうすれば、動作監視装置２０の回路構成がより簡素化できる。また、いずれの場合にも、１回分の雷サージにより前記避雷器を通過した電流等の計算処理をした後にまとめてその結果を送信するので、高速データ通信機能が必要無いという効果がある。
【００３０】
また、複数の監視回路から十分に広い時間間隔で監視信号をホストコンピュータに送信することができるから、ホストコンピュータ側で無理なく信号を受信して処理することが可能になる。なお、送信信号の衝突を防止するために、ホストコンピュータ側で、例えば、ポーリング式で各動作監視装置に対し周期的にデータ送信を要求することもできる。また、動作監視装置２０は、演算処理をして求めた電気エネルギや電流の時間積分値を、メモリ等に記録して保持し、任意の手段で読み出しされるような構成にしてもよい。また、例えば、雷サージ１回分でなく数回分をまとめて累積結果をホストコンピュータに送信するようにしてもよい。さらに、上記のようにアナログ回路をもちいて構成すると、汎用の部品を組み合わせて安価に小型に構成できるが、例えば、上記回路の一部をディジタル回路やコンピュータに置き換えて、同様の演算処理をさせることもできる。
【００３１】
また、動作監視装置２０に、演算処理結果を表示する液晶ディスプレイ等の表示器を設けても構わない。演算結果を外部に送信するのには電波を用いることが好ましい。もちろん、光ファイバ等のデータ通信用ケーブルを通じて演算結果を外部に送信しても構わない。落雷の瞬間は雑音が激くてデータの誤送信が発生し易いが、演算処理終了後に演算結果を送信すれば、誤送信を少なくできる。
【００３２】
図８は、本発明の装置をより具体化したものの実施例を示すブロック図である。
上記の実施例では、避雷器１０を流れる雷サージを測定した結果を電波送信して、監視事務所等にあるホストコンピュータで測定結果を監視することができた。高圧変電設備では、ＲＳＴ３相にそれぞれ避雷器が取り付けられるから、３台の避雷器１０Ｒ、１０Ｓ、１０Ｔに対して、上記の検出器２１Ｒ、２１Ｓ、２１Ｔを取り付ける。これらの出力は、図２で説明したような処理回路７１Ｒ、７１Ｓ、７１Ｔに入力する。処理回路７１Ｒ、７１Ｓ、７１Ｔは、検出器２１Ｒ、２１Ｓ、２１Ｔの出力信号を図２に示したＡ／Ｄ変換回路３５に入力する直前の状態まで処理をする回路である。内容は図２のとおりでよいから説明を省略する。
【００３３】
さらに、この実施例では、雷サージの測定のみでなく、平常時の避雷器の漏れ電流測定も行なう。図のように、磁芯入りのトロイダルコイルから成る検出器７５Ｒ、７５Ｓ、７５Ｔと、これらの検出器の出力を増幅する増幅回路７６Ｒ、７６Ｓ、７６Ｔとが設けられている。磁芯入りのトロイダルコイルは２つ割り構造で、避雷器１０の接地線に簡単に装着できるようなものが適する。上記処理回路７１Ｒ、７１Ｓ、７１Ｔの出力と増幅回路７６Ｒ、７６Ｓ、７６Ｔの出力は、共にＡ／Ｄ変換回路８０に入力する。Ａ／Ｄ変換回路８０は、６個の入力端子を備え、各入力端子へ入力するアナログ信号を所定のサンプリング間隔でサンプリングしてディジタル信号に変換する機能を持つ。
【００３４】
Ａ／Ｄ変換回路８０の出力側にはＣＰＵ８１（演算処理装置）とメモリ８２と時計回路８３と通信制御部８４とが設けられている。Ａ／Ｄ変換回路の出力信号は、ＣＰＵ８１により編集処理されてメモリ８２に記憶される。なお、この種の監視装置ではデータの測定時刻が問題になるので、ＣＰＵ８１は時計回路８３から時刻データを取得するように構成されている。メモリ８２に記憶されたデータ９１、９２を図の右上に示した。漏れ電流は、測定時刻とともに１データ化されて記憶される。エネルギも測定時刻とともに１データ化されて記憶される。通信制御回路８４は、メモリに記憶されたデータ９１、９２を所定のタイミングでアンテナ８５を通じて電波送信する。
【００３５】
避雷器１０の漏れ電流は、例えば、１０分とか１時間おきに測定をしてホストコンピュータに送信すれば十分である。故にＣＰＵ８１は、この間隔で起動してデータのサンプリングと送信制御を行うと良い。これにより、太陽電池等を電源にしてこの装置を駆動する場合の節電効果が期待できる。また、雷サージによる通過エネルギは、雷が発生したときに測定されるから、そのつどＣＰＵ８１を起動し、所定時間後にデータを送信し終えたら自動的に動作を終了するとよい。また、漏れ電流は所定時間おきに１回分以上の測定結果を送信するとよい。例えば、１０分おきに測定した結果を１時間分メモリに蓄積して１時間おきに送信するようにしてもよい。
【００３６】
雷サージによる通過エネルギは測定結果をメモリに蓄積しておき、雷の遠ざかった頃にそのデータを送信するとよい。これにより、送信電波が雷雑音の影響を受けない。処理回路７１Ｒ、７１Ｓ、７１Ｔのピークホールド回路の動作中は、Ａ／Ｄ変換回路８０が出力信号のディジタル化処理をしている。このピークホールド回路の動作開始時、即ち、既に説明をしたワンショットマルチバイブレータのスタート時の信号をトリガにしてＣＰＵ８１を起動するとよい。その後ＣＰＵ８１は、必要なデータ送信処理の終了を検出して、自動的に待機モード（省電力モード）に切り替わるとよい。
【００３７】
以上のようにすれば、避雷器の状態を常時監視して、その健全性を維持することができる。なお、磁芯入りのトロイダルコイルから成る検出器７５Ｒ、７５Ｓ、７５Ｔを設けたのは、漏れ電流の値は雷サージに比べて十分小さいので、検出器に感度の良い電流トランスを採用したためである。また、落雷時には、磁芯入りのトロイダルコイルは磁気飽和により出力が制限されるから、増幅回路７２等に障害が発生するおそれはない。
【００３８】
【発明の効果】
以上説明したように、本発明では、落雷により避雷器にどの程度の電気エネルギが通過したかというデータを取得するので、避雷器の現実の動作履歴を監視して、劣化状態を定量的に判断できる。例えば、長期的に継続的に、特定の避雷器を通過した雷撃電流エネルギを積算し、その値を所定の閾値と比較して、その閾値を越えたとき避雷器を交換するといった保守管理ができる。また、落雷時に避雷器に流れる電流をリアルタイムで実測してその測定値をデータ送信しようとすると、レスポンスの良い高価な電流検出器と高速データ送信回路が必要になるが、この発明では、１回分の雷サージが避雷器を通過したエネルギを演算処理してその結果を回路に保持し、その後送信するから、高速データ通信機能は必要がない。この場合には避雷器の保護動作回数もカウントできる。
【図面の簡単な説明】
【図１】（ａ）は、本発明の避雷器の動作監視装置の具体例を示す実体配線図、（ｂ）と（ｃ）は、検出器２１の例を示す内部配線図である。
【図２】本発明の避雷器の動作監視装置の具体的な回路構成を示すブロック図である。
【図３】（ａ）は積分回路３０、（ｂ）は乗算回路３１、（ｃ）は積分回路３２の具体的な結線図である。
【図４】（ａ）はリセット回路３３、（ｂ）はピークホールド回路３４の具体的な結線図である。
【図５】動作監視装置２０から送信された信号を受信する装置の説明図である。
【図６】検出器２１の具体的な動作を実証する説明図で、（ａ）は矩形波についての動作特性、（ｂ）は三角波についての動作特性を示す。
【図７】乗算回路３１の前後の信号波形説明図である。
【図８】本発明の装置をより具体化したものの実施例を示すブロック図である。
【符号の説明】
１０　避雷器
１１、１２　端子
１３　接地線
２１　検出器
２０　動作監視装置
２５　太陽電池パネル
２６　バッテリボックス
２７　アンテナ
２３　トロイダルコイル
２４Ａ、２４Ｂ　出力端子
【図１】
2004037169.tif 000003
【図２】
2004037169.tif 000004
【図３】
2004037169.tif 000005
【図４】
2004037169.tif 000006
【図５】
2004037169.tif 000007
【図６】
2004037169.tif 000008
【図７】
2004037169.tif 000009
【図８】
2004037169.tif 000010